(57)【要約】モバイル電子装置などの、バッテリー駆動装置を充電するために、コンセントに接続可能であるサイズ調整可能な充電器が、開示される。充電器は、少なくとも第１および第２充電器本体セクションと、１つ以上のヒンジなどの、１つ以上の力伝達要素と、を備えてよく、１つ以上の力伝達要素は、少なくとも第１および第２充電器本体セクションの間で相互接続されるように、およびサイズ調整動作を容易にするように、構成される。サイズ調整可能な充電器は、１組のコンセント接続可能なプロングをさらに含んでよい。プロングは、コンセント接続可能なプロングの第１位置で、または少なくとも第１および第２充電器本体セクションの第１相対位置で、コンセントまたはソケットに挿入可能であってよく、コンセント接続可能なプロングの第２位置で、または少なくとも第１および第２充電器本体セクションの第１相対位置で、コンセントに挿入不可能であってよい。【選択図】図５
2020502977.tif 000002
【特許請求の範囲】
【請求項１】
サイズ調整可能なＡＣ−ＤＣ充電器であって、第１および第２充電器本体セクションと、１つ以上の力伝達要素と、を備え、前記１つ以上の力伝達要素は、前記第１および第２充電器本体セクションの間で相互接続されるように、および配置変更力を前記第２充電器本体セクションに、前記第１充電器本体セクションに加えられた後で、伝達し、サイズ調整動作を容易にするように、構成され、前記充電器は、前記第２充電器本体セクションが、前記サイズ調整動作前の第１配置および前記サイズ調整動作後の第２配置の両方に位置するときに、バッテリー駆動装置に充電するように動作可能である、充電器。
【請求項２】
請求項１に記載の充電器であって、第１回路と、第２回路と、可撓性ケーブルと、を備え、前記第１回路は、交流電源に接続可能であり、前記第１本体セクションの内部に収まり、前記第２回路も、バッテリー交流電源に接続可能であり、前記バッテリー駆動装置と充電関係にあり、前記第２本体セクションの内部に収まり、前記可撓性ケーブルは、前記第１回路と前記第２回路との間に延び、前記第２充電器本体セクションの配置の変更にかかわらずそれらの間に電流を維持する、充電器。
【請求項３】
請求項２に記載の充電器であって、前記可撓性ケーブルは、回路がない内部充電器領域を通る、および前記第１および第２本体セクションの連続および共通部分を通る、充電器。
【請求項４】
請求項１に記載の充電器であって、開状態と閉状態との間で折り畳み可能である、充電器。
【請求項５】
請求項４に記載の充電器であって、１組のコンセント接続可能なプロングをさらに備え、前記プロングは、前記充電器が開状態に設定されているときに、コンセントにアクセス不可能であるまたは動作不能で接続可能であり、前記充電器が閉状態に設定されているときに、コンセントにアクセス可能であるおよび動作可能で接続可能である、充電器。
【請求項６】
請求項５に記載の充電器であって、前記第１および第２充電器本体セクションのそれぞれは、凹部とプロング支持ブロックと共に形成され、前記凹部は、その対応する内面と一致し、前記プロング支持ブロックは、前記凹部内に固定され、前記プロングの１つが、前記ブロックから縦に延び、前記充電器が開状態に設定されているときに、他の充電器本体セクションの凹部内にアクセス不可能に受け取られるが、前記充電器が閉状態に設定されているときに、対応する内面から突出するように、構成される、充電器。
【請求項７】
請求項４に記載の充電器であって、前記プロングは、第１回転位置でコンセントにアクセスできるように、および第２回転位置でコンセントにアクセスできないように、旋回可能である、充電器。
【請求項８】
請求項７に記載の充電器であって、前記プロングのそれぞれは、前記充電器の内面に位置し、前記充電器が開状態に設定されているときにコンセントにアクセスできない、充電器。
【請求項９】
請求項７に記載の充電器であって、前記プロングのそれぞれは、前記充電器の上面または下面に位置し、コンセントのスロット間の間隔よりも大きい前記プロング間の間隔のために前記充電器が開状態に設定されるときにコンセントに動作不能で接続可能である、充電器。
【請求項１０】
請求項１に記載の充電器であって、開状態での前記充電器の厚さが、１ｃｍ未満である、充電器。
【発明の詳細な説明】
【技術分野】
【０００１】
本発明は、電気機器の分野に関する。具体的には、本発明は、サイズ調整可能な充電器に関する。
【背景技術】
【０００２】
タブレット、携帯用コンピューターおよび携帯電話などのモバイル電子装置のユビキタスおよび連続使用のために、ユーザーは、これらのモバイル装置のバッテリー容量が非常に限られていると気付いて落胆する。結果的に、モバイル装置は、少なくとも１日に１回、通常交流電力に接続された充電器によって、充電される必要がある。
【０００３】
その内部トランスおよび多くの巻線の結果として大きいサイズを有するモバイル装置は、交流電力にコンセントで接続されるときに、１つ以上のソケットを覆うことが多く、交流電力に接続される必要があるが、利用可能なコンセントの不足のためにできない、別の電気または電子装置を作動させることが望ましいときに、多くのいら立ちを引き起こす。
【０００４】
大型充電器の別の不都合な点は、そのかさ高さである。ユーザーは、それが占める比較的大きい体積のために旅行のときに充電器を携行しないことを選ぶことが多く、バッテリーが充電されていなくなり、モバイル装置を使用することができないときに、落胆する。
【０００５】
小型サイズの充電器、特にスリムなサイズの充電器、を使用することは、上記の不都合な点を克服し得る。しかしながら、スリムな充電器を実施することを望むときに、ある構成では、必要基準に従ってアクティブで自然なプロングを実現することが不可能であるかもしれない。多くの標準プラグ／ソケットシステムでは、アクティブで自然なプロング間の距離は、約１２ｍｍ−１６ｍｍであるからである。そのスリムな形態のために、そのような距離要件は、充電器の厚さが１０ｍｍ未満であるときに、達成されないかもしれない（標準に対して適切にプロングを配置するのに十分な間隙がないからである）。
【０００６】
それ故に、そのようなスリムな充電器の構成における新規な解決策が、そのような標準要件に従ったスリムな充電器製品を提供するために、必要である。
【発明の概要】
【発明が解決しようとする課題】
【０００７】
本発明の目的は、そのサイズを調整するときに操作性が損なわれないサイズ調整可能な充電器を提供することである。
【０００８】
本発明のさらなる目的は、サイズ調整の前と後の両方で交流コンセントに接続可能であるサイズ調整可能な充電器を提供することである。
【０００９】
発明の他の目的および利点は、説明が進むにつれて明らかになる。
【課題を解決するための手段】
【００１０】
本発明は、サイズ調整可能なＡＣ−ＤＣ充電器を提供することであり、そのＡＣ−ＤＣ充電器は、第１および第２充電器本体セクションと、１つ以上の力伝達要素と、を備え、１つ以上の力伝達要素は、前記第１および第２充電器本体セクションの間で相互接続されるように、および配置変更力を前記第２充電器本体セクションに、前記第１充電器本体セクションに加えられた後で、伝達し、サイズ調整動作を容易にするように、構成され、前記充電器は、前記第２充電器本体セクションが、前記サイズ調整動作前の第１配置および前記サイズ調整動作後の第２配置の両方に位置するときに、バッテリー駆動装置に充電するように動作可能である。
【００１１】
サイズ調整可能な充電器は、その厚さが開状態で、１ｃｍ未満、例えば３ｍｍ以下、であるときに、顕著な実用性を有する。
【００１２】
充電器は、第１回路、第２回路、および可撓性ケーブルを備え、第１回路は、交流電源に接続可能であり、第１本体セクションの内部に収まり、第２回路は、バッテリー駆動装置に接続可能であり、バッテリー駆動装置と充電関係にあり、第２本体セクションの内部に収まり、可撓性ケーブルは、前記第１回路と前記第２回路との間に延び、第２充電器本体セクションの配置の変更にかかわらずそれらの間に電流を維持する。可撓性ケーブルは、好ましくは、回路がない内部充電器領域を通る、および第１および第２本体セクションの連続および共通部分を通る。
【００１３】
一実施形態では、充電器は、開状態と閉状態との間で折り畳み可能である。
【００１４】
一態様では、充電器は、１組のコンセント接続可能なプロングをさらに備え、プロングは、充電器が開状態に設定されているときに、コンセントにアクセス不可能であるまたは動作不能で接続可能であり、充電器が閉状態に設定されているときに、コンセントにアクセス可能であるおよび動作可能で接続可能である。
【００１５】
一態様では、第１および第２充電器本体セクションのそれぞれは、凹部とプロング支持ブロックと共に形成され、凹部は、その対応する内面と一致し、プロング支持ブロックは、前記凹部内に固定され、プロングの１つが、前記ブロックから縦に延び、充電器が開状態に設定されているときに、他の充電器本体セクションの凹部内にアクセス不可能に受け取られるが、充電器が閉状態に設定されているときに、対応する内面から突出するように、構成される。
【００１６】
一態様では、プロングは、第１回転位置でコンセントにアクセスできるように、および第２回転位置でコンセントにアクセスできないように、旋回可能である。
【００１７】
一態様では、プロングのそれぞれは、充電器の内面に位置し、充電器が開状態に設定されているときにコンセントにアクセスできない。
【００１８】
一態様では、プロングのそれぞれは、充電器の上面または下面に位置し、コンセントのスロット間の間隔よりも大きいプロング間の間隔のために充電器が開状態に設定されるときにコンセントに動作不能で接続可能である。
【図面の簡単な説明】
【００１９】
【図１】発明の一実施形態によるサイズ調整可能な充電器の電気的レイアウトのブロック図である。
【図２】発明の一実施形態による、開状態で示されている、サイズ調整可能な充電器の底面からの透視図である。
【図３】開状態で示されている、図２のサイズ調整可能な充電器の上面からの透視図である。
【図４】部分的に内側に折り曲げられた状態で示されている、図２のサイズ調整可能な充電器の上面からの透視図である。
【図５】部分的に内側に折り曲げられた状態で示されている、図２のサイズ調整可能な充電器の上面および側面からの透視図である。
【図６】閉状態で示されている、図２のサイズ調整可能な充電器の上面からの透視図である。
【図７】閉状態で示されている、図２のサイズ調整可能な充電器の内側からの透視図である。
【図８】プロングが旋回していない、閉状態で示されている、発明の別の実施形態によるサイズ調整可能な充電器の上面および内側からの透視図である。
【図９】プロングが旋回している、閉状態で示されている、図８のサイズ調整可能な充電器の上面および内側からの透視図である。
【図１０】プロングが旋回している、閉状態で示されている、別の実施形態によるサイズ調整可能な充電器の上面および前面からの透視図である。
【発明を実施するための形態】
【００２０】
本発明は、サイズ調整の前と後の両方で、モバイル電子装置などの、バッテリー駆動装置を充電するために、交流コンセントに接続可能であるサイズ調整可能な交流直流充電器である。
【００２１】
本発明の充電器は、必要に応じて、都合よく財布またはシャツのポケットで携行されるために、および充電器がモバイル電子装置を充電するのに常に使用可能であることを確実にするために、薄くてよく、通常１ｃｍよりも薄く、例えば４−７ｍｍの厚さであり、さらに３ｍｍ以下である厚さを有してよく、例えば２または２．５ｍｍである。その薄さにかかわらず、縮小されていない充電器は、充電器のプロング（例えば、ピン、ブレードまたは他の種類のコネクタ）が、コンセントのソケットの１つの対応するスロットに接続されるときに、コンセントの２つの別々のソケットを通常カバーする実質的な表面積を有する。以下で説明されるように、充電器が小型化されるときに、ソケットの１つだけが、充電器によってカバーされ、有利には、別の電気または電子装置が交流電力に同時に接続されることを可能にする。
【００２２】
充電器の薄さは、同じ出願人による同時係属のＩＬ２４７３５３に記載されているように、例えば２段階で交流電力から直流電力に変換することによって可能になる。第１段階では、配電網から受け取られる交流電力の高電圧が、整流器および直流−直流電圧変換器によって中間非絶縁電圧レベルに変換される。第２段階では、トランスが、非絶縁中間直流電圧を、モバイル電子装置を充電するのに適している絶縁低直流電圧に、変換するのに使用される。第１段階での中間非絶縁電圧レベルへの電圧変換により、インダクタおよび／またはコンデンサなどの、小型部品が、従来技術の充電回路で典型的に使用される物理的に大きいトランスに取って代わることができる。トランスが第２段階で使用されるが、中間レベル電圧から低レベル電圧への変換は、有利に、インダクタンスが少なくて済み、それ故に、従来技術による高交流電圧を低直流電圧に変換するのに必要である大型トランスよりも、少ないトランス巻線およびかなり小さいトランスコアで済む。
【００２３】
当然のことながら、薄い充電器は、専用の電子または電気回路と共にでも構成されてよい。
【００２４】
サイズ調整動作を容易にする充電器の電気的レイアウトを概略的に示す図１を、最初に参照する。充電器１０は、第１回路３と第２回路７とを備え、第１回路３は、通常コンセントに接続可能なプロングによって、配電網から交流電力を受け取るように適合され、第２回路７は、モバイル電子装置への接続用の出力端子９に接続される。第１回路３は、中間非絶縁電圧レベルへの高電圧交流電力の変換などの、第１電気的機能を搭載し、第２回路７は、通常フィルター回路を備える、絶縁低直流電圧への非絶縁中間直流電圧などの、第２電気的機能を搭載する。電気回路がない領域に部分的にまたは完全に位置する可撓性ケーブル５は、第１回路３と第２回路７との間に延び、充電器１０の２つの対応する領域の配置の変更にかかわらずそれらの間に電流を維持する。
【００２５】
当然のことながら、充電器１０は、２つ以上の相互接続回路も備えることができる。
【００２６】
従って、充電器１０は、モバイル機器を充電する能力に支障をきたさずに、スライド操作、折り曲げ操作、および伸長／格納操作から選択されるが、これに限定されない、多くのサイズ調整操作を受けることができる。
【００２７】
折り畳み式の充電器の実施形態は、図２−１０に示されている。充電器が閉位置に折り畳まれるときに、その長さは、有利に、コンセントの１つのソケットのみが、充電動作中に充電器によってカバーされるという程度まで大幅に減少し、従来技術の充電器のプロングがコンセントに差し込まれるときに２つ以上であるのとは対照的である。
【００２８】
時には、充電器は、それが折り曲げられないならばコンセントに接続されることができない。先に説明したように、充電器は、財布のポケットで都合よく携行されるために、およびそれによって充電器有用性を高めるために、かなり薄くてよく、例えば３ｍｍのオーダーである。２つのプロングは、この薄さのために隣り合わせの関係で充電器の壁に固定されることができない。しかしながら、充電器が折り畳まれるときに、充電動作を容易にするように、２つの別々のプロングが、ソケットのスロットの間隔に等しい間隔でまとめられてよい。
【００２９】
図２は、本発明の一実施形態による、開状態での折り畳み可能な充電器４０の底面図を示し、第１充電器本体セクション３４および第２充電器本体セクション３７の底面３１を見せ、その上面３２を見えないようにしている。充電器４０は、長方形で示されているが、他の構成も発明の範囲内である。
【００３０】
充電器４０は、当業者に知られている手段によって第１充電器本体セクション３４および第２充電器本体セクション３７を相互接続する１組のヒンジ４２と共に構成され、一方、厚いヒンジ部分４３は、図４および５に示されているように、それぞれ、セクション３４および３７の内面３６および３９に形成された開口３３を通る。２つのヒンジ４２が示されているが、他の適切な数のヒンジ４２が採用されてよい。ヒンジ４２のそれぞれは、セクション３４および３７の内面に横たわり、それは、充電器４０が、開状態にある、またはそれらの間にわずかな空間があるように置かれるときに、互いに当接関係にあり得る。１組のヒンジ４２は、従って、図６および７に示されているように、セクション３４および３７の底面３１が互いに当接関係にあるおよび内面３６および３９が互いに隣接するまで、セクション３４および３７が内側に折り曲げられることを可能にする。
【００３１】
内面は、充電器の中央領域に位置して示されているが、セクション３４および３７は、開状態での充電器に関する内面の相対位置、および電気回路がない内部充電器領域を通るおよび２つのセクションの連続および共通部分を通る可撓性ケーブルの相対位置が、相応に異なり得るように、他の仕方で大きさを決められてよい。
【００３２】
充電器４０は、別々のセクションであるように見える充電器本体セクション３４および３７を有するとして本明細書で概略的に表されるが、実際には、セクション３４および３７は、可撓性ケーブルの通路を収める連続および共通部分を有する。
【００３３】
端面４６には、第２回路に電気的に並列接続される２つのＵＳＢポート４７が設けられ、そのそれぞれの中においてモバイル装置が挿入可能および充電可能である。
【００３４】
開状態の充電器４０の上面図が、図３に示されている。第１充電器本体セクション３４および第２充電器本体セクション３７のそれぞれは、凹部５２（例えば、長方形）と共に形成され、それは、充電器本体セクションの対応する内面と同一の空間を占める。凹部５２の幅は、かなり小さく、それが形成される充電器本体セクションの幅のほぼ３分の１である。２つの凹部５２は、対称的に形成され、対応する前面３８からわずかに離間している。それぞれの凹部５２の長さ（すなわち、内面と端面との間）は、セクション長さのほぼ３分の１である。
【００３５】
プロング支持当接ブロック５６は、セクション３７の凹部内のブロックが、前面３８に最も近いその側面に位置し、セクション３４の凹部内のブロックが、後面４１に最も近いその側面に位置するように、それぞれの凹部５２に設けられる。１つのプロング５９のみが、明確にするために図３で示されている。
【００３６】
図７でより明確に示されているブロック５６は、凹部５２内で縦に延び、対応する充電器本体セクションの内面で先端が切り取られている。ブロック５６は、上面６１と斜面６３とを有し、上面６１は、対応する充電器本体セクションの上面３２にほぼ平行であり、斜面６３は、上面６１から、図６に示されている、凹部５２のフロア６６に斜めに延びる。プロング５９は、切欠面５７から縦に突出する。プロング５９は、ブロック上面６１から角度方向に離間して示されているが（例えば４５度の角度で）、場合により上面６１にほぼ平行であってよい。
【００３７】
図５に関し、斜面６３は、角度方向に離間したプロング５９用の支台として機能する。充電器４０が開状態に設定されるときに、プロング５９は、斜面６３に隣接し、結果的にさらに角度方向に離間することができない。
【００３８】
配置変更力が、開状態に設定された２つの充電器本体セクション３４および３７の１つに加えられるときに、充電器は、内側に折り曲げられ、２つのプロング５９は、対応する当接から切り離され、アクセス可能である。充電器が図７に示されている折り畳み状態に設定された後で、交流電力を充電器に供給するために、第１回路に接続される２つのプロング５９は、互いに平行であり、ソケットの対応するスロットに差し込まれることができる。充電器が、３つのスロットのコンセントを有する国で使用されるときに、プロング５９は、３つのプロングを有するアダプターと結合してよい。
【００３９】
図８および９に示されている別の実施形態では、充電器７０は、そのそれぞれの内面３６および３９に位置するプロング７９と共に構成される。充電器７０が閉状態に設定されているときに、プロング７９が旋回し、コンセントへの接続を容易にする。
【００４０】
図１０は、上面３２に取り付けられている２つの旋回可能なプロング８９を有する充電器８０の実施形態を示している。充電器８０が閉状態に設定されているときに、２つのプロング８９は、コンセントへの接続を容易にするのに十分なほど互いに近い。
【００４１】
発明のいくつかの実施形態が実例として説明されたが、発明が、多くの変更、変形および適合で、および、特許請求の範囲を超えずに当業者の範囲内である多数の同等のまたは代替の解決策の使用で、実行することができることは、明らかである。
【図１】
2020502977.tif 000003
【図２】
2020502977.tif 000004
【図３】
2020502977.tif 000005
【図４】
2020502977.tif 000006
【図５】
2020502977.tif 000007
【図６】
2020502977.tif 000008
【図７】
2020502977.tif 000009
【図８】
2020502977.tif 000010
【図９】
2020502977.tif 000011
【図１０】
2020502977.tif 000012
【国際調査報告】
2020502977.tif 000013
2020502977.tif 000014